(57)【要約】【課題】  レンズユニットに含まれる複数の光学レンズの光軸の偏芯を抑え、異なる温度環境下でも必要な精度を満足するレンズ装置を提供する。【解決手段】  光軸方向に配置された第１および第２のレンズ(1、２)と、第１および第２のレンズを保持するレンズ保持部材(3)とを有し、レンズ保持部材は、第１のレンズを保持する第１の保持部(３ａ、３b、３c)を周方向複数箇所に有するとともに、第２のレンズを保持する第２の保持部(３ｅ、３ｆ、３ｇ)を周方向における第１の保持部と同位相の複数箇所に有し、さらにレンズ保持部材における複数の第１および第２の保持部のそれぞれの周方向両側に、保持部材の外周から内周まで延びる凹形状部(３ｄ、３ｈ)を有することを特徴とするレンズ装置。【選択図】  図２
2005215558.tif 000002
【特許請求の範囲】
【請求項１】
光軸方向に配置された第１および第２のレンズと、
前記第１および第２のレンズを保持するレンズ保持部材とを有し、
前記レンズ保持部材は、前記第１のレンズを保持する第１の保持部を周方向複数箇所に有するとともに、前記第２のレンズを保持する第２の保持部を周方向における前記第１の保持部と同位相の複数箇所に有し、
さらに前記レンズ保持部材における前記複数の第１および第２の保持部のそれぞれの周方向両側に、前記保持部材の外周から内周まで延びる凹形状部を有することを特徴とするレンズ装置。
【請求項２】
前記第１および第２の保持部はそれぞれ、前記レンズにおける他方のレンズ側の光軸方向一端面と当接する第１の部分と、該レンズの外周面と当接する第２の部分とを有することを特徴とする請求項１に記載のレンズ装置。
【請求項３】
前記第１および第２の保持部は、さらに前記第１のレンズの光軸方向他端面と当接する第３の部分を有することを特徴とする請求項２に記載のレンズ装置。
【請求項４】
前記第１の保持部は、さらに前記第１のレンズの光軸方向他端面と当接する第３の部分を有し、
かつ前記第２の保持部に保持された前記第２のレンズを前記レンズ保持部材に接着する接着部が、該第２の保持部と同位相の箇所に設けられていることを特徴とする請求項２に記載のレンズ装置。
【請求項５】
前記第１の部分は、前記凹形状部の光軸方向端面に対して突出した形状を有することを特徴とする請求項２に記載のレンズ装置。
【請求項６】
前記レンズ保持部材は、前記第１および第２の保持部のうち少なくとも一方の保持部の間の部分が光軸方向に延出した延出部を有し、該延出部は前記レンズに対する入射光線を制限することを特徴とする請求項１から５のいずれか１つに記載のレンズ装置。
【請求項７】
前記レンズ保持部材は、前記第１および第２の保持部のうち少なくとも一方の保持部の間の部分が光軸方向に延出した延出部を有し、該延出部は、前記レンズに対する入射光線を制限する制限部材を保持することを特徴とする請求項１から５のいずれか１つに記載のレンズ装置。
【請求項８】
前記レンズ保持部材は樹脂により形成されていることを特徴とする請求項１から７のいずれか１つに記載のレンズ装置。
【請求項９】
請求項１から８のいずれかに記載のレンズ装置と、該レンズ装置により形成された被写体像を光電変換する撮像素子とを有することを特徴とするカメラシステム。
【発明の詳細な説明】
【技術分野】
【０００１】
本発明は、一眼レフカメラ等に使用されるレンズ装置に関するものであり、特に光学レンズを保持する保持部材を備えたレンズ装置及びカメラシステムに関するものである。
【背景技術】
【０００２】
従来のフォーカス・ズーム等のための光学レンズを保持する保持部材を備えたレンズ装置の構造について、種々の提案がされている。その中でも、特定の光学レンズをその他の光学レンズに対して微小量だけ変位させ、光学系全体の光学特性をよくする光学調整は、近年のレンズの高倍率・小型化の傾向に伴い、需要が多くなっている。
【０００３】
一般的な光学調整の中で、特定のレンズを光軸に直交する面内で微小移動させる方法が知られている。また、上記のような傾向により、光学レンズの位置精度の向上が高まる中で、安価で大量生産に向いた、プラスチック製の保持部材が多く使用されるようになっている。
【０００４】
プラスチックの利点として、金属等を切削して加工する場合よりも複雑な形状を作りやすい点，複数の部品を一体の部品として統合しやすく、コストダウンが容易である点が上げられる。不利な点として、金属部品と比べ強度が低い、温度・湿度により変形しやすい点が上げられる。
【０００５】
光学レンズの位置精度を高めるためには、光軸方向に移動する保持部材に保持される複数の光学レンズ同士の位置を調整する必要があり、この光学調整を調整機によって行うとともに、接着等により各光学レンズを保持部材に固定する必要がある。
【０００６】
このような光学調整として、保持部材に保持される複数の光学レンズのうち、特定の光学レンズを、光軸に直交する面内で微小移動させることにより、特定の光学レンズの光軸を他の光学レンズの光軸に合わせる方法が知られており、この方法を図６に示す。
【０００７】
図６において、（ａ）はレンズ保持部材の斜視図、（ｂ）はレンズ保持部材の右正面図、（ｃ）はレンズ保持部材を光軸を含む平面で切断した縦断面図、（ｄ）はレンズ保持部材の左正面図である。
【０００８】
１７は第１の光学レンズ、１８は第２の光学レンズであり、第１の光学レンズ１７及び第２の光学レンズ１８により光学ユニットが構成される。１９は、第１の光学レンズ１７と第２の光学レンズ１８を保持する保持部材であり、プラスチックによって構成されている。Ａ−Ａは第１の光学レンズ１７の光軸を示し，Ｂ−Ｂは第２の光学レンズ１８の光軸を示している。
【０００９】
本従来例では、まず、レンズ保持部材１９の一端に第１の光学レンズ１７を固定しておき、その後、他端に第２の光学レンズ１８を組み付ける。そして、不図示の位置調整機を駆動して、第２の光学レンズ１８を光軸に直交する面内で移動させ、第２の光学レンズ１８の光軸Ｂ−Ｂを第１の光学レンズ１７の光軸Ａ−Ａに略一致させるように位置調整を行なう。
【００１０】
この位置調整の作業が終了したら、接着剤２０により第２の光学レンズ１８をレンズ保持部材１９に固定する。
【００１１】
レンズ保持部材１９の外周面には、不図示の他の鏡筒等と連結するためのカムフォロア等の凹凸部や、他の鏡筒との干渉を避けるための開口部が一体的に形成されている。第1の光学レンズ１７は、レンズ保持部材１９の一端に組みつけられた後、この組みつけ位置に、熱カシメ等の手段により固定されるのが一般的である。
【発明の開示】
【発明が解決しようとする課題】
【００１２】
しかしながら、レンズユニット１７、１８は、調整時の温度・湿度下においては求められる位置精度を満たしているが，周囲の環境，特に温度・湿度が変化した場合は、プラスチックが変形し、レンズ保持部材１９に寸法変化が生じる。
【００１３】
その結果、第1の光学レンズ１７と第2の光学レンズ１８の光軸のズレ量が、許容値を越えてしまい，レンズ装置の光学特性を損なうおそれがある。特に、レンズ保持部材１９の変形は、レンズ保持部材１９の外周面に形成された凹凸部の形状、レンズ保持部材１９に対する光学ユニット１７、１８の取り付け状態に応じて異なるため、レンズ装置の使用温度・湿度範囲内での光学ユニット１７、１８の位置調整は困難である。
【００１４】
そこで、本発明は、レンズユニットに含まれる複数の光学レンズの光軸の偏芯を抑え、異なる温度環境下でも必要な精度を満足するレンズ装置を提供する。
【課題を解決するための手段】
【００１５】
上述の課題を解決するために、本願発明のレンズ装置は、光軸方向に配置された第１および第２のレンズと、第１および第２のレンズを保持するレンズ保持部材とを有し、レンズ保持部材は、第１のレンズを保持する第１の保持部を周方向複数箇所に有するとともに、第２のレンズを保持する第２の保持部を周方向における第１の保持部と同位相の複数箇所に有し、さらにレンズ保持部材における複数の第１および第２の保持部のそれぞれの周方向両側に、保持部材の外周から内周まで延びる凹形状部を有することを特徴とする。
【発明の効果】
【００１６】
本願発明によれば、第１のレンズを保持する第１の保持部を、周方向複数箇所に設けるとともに、第１の保持部と同位相の複数箇所に第２のレンズを保持する第２の保持部を配置しているため、レンズ装置の周囲に環境変化（例えば、湿度変化、温度変化）が生じても、これらの光学レンズの位置関係の変化を抑制することができるため、光学特性を悪化させない。
【００１７】
更に、レンズ保持部材における複数の第１および第２の保持部のそれぞれの周方向両側に、保持部材の外周から内周まで延びる凹形状部を形成しているため、この溝部によって、第１及び第２の保持部とこれらの保持部以外のレンズ装置の他の部分とを分離している。これにより、該他の部分に生じた物理的な変形を、第１及び第２の保持部に伝わりにくくすることができ、第１及び第２の光学レンズの位置関係の変化を抑制することができるため、光学特性を悪化させない。
【発明を実施するための最良の形態】
【００１８】
【実施例１】
【００１９】
本発明の実施例であるカメラシステムについて図面を参照して説明する。ここで、図１は、本実施例のカメラシステムの斜視図である。
【００２０】
図１において、１００はカメラ本体であり、このカメラ本体１００の前面中央にはズーミングが可能なレンズ装置１１０が設けられている。また、カメラ本体１００の前面における向かって右側には被写体に照明光を照射するストロボ装置を構成する発光窓部１２０が設けられ、発光窓部１２０の左側にはファインダ窓１４０及び測光窓１３０がそれぞれ設けられている。
【００２１】
さらに、カメラ本体１００の上面には、撮影準備動作（焦点調節動作及び測光動作）及び撮影動作（フィルムやＣＣＤ、ＣＭＯＳセンサ等の撮像素子への露光）を開始させるためのレリーズボタン１５０が設けられている。
【００２２】
次に、レンズ装置１１０について、図２を用いて説明する。図２は、本発明の実施例１である、レンズ装置１１０に含まれるレンズユニットを示した図であり、（ａ）はレンズユニットの斜視図、（ｂ）はレンズユニットの右正面図、（ｃ）はレンズユニットを光軸を含む平面で切断した縦断面図、（ｄ）はレンズユニットの左正面図である。
【００２３】
同図において、１は第１の光学レンズであり、２は第２の光学レンズであり、これらの光学レンズ１、２をレンズ保持鏡筒３に組みつけて保持することにより、レンズユニットが構成される。なお、本実施例では、光学レンズの枚数を２枚としているが、３枚以上であっても、本発明に適用することができる。
レンズ保持鏡筒３は、同図において左側から第１の光学レンズ１を挿入して位置決めし、右側より第２の光学レンズ２を挿入して位置決めするものとする。レンズ保持鏡筒３は、第１の光学レンズ１を光軸方向に位置決めするための第１の胴付部３ａ(第１の保持部)を有しており，この第１の胴付部３ａは，光軸Ａ−Ａ周りに均等に３箇所設けられている。本実施例では、第１の胴付部３ａを、３つ設けているが、４つ以上にしてもよい。
【００２４】
第１の光学レンズ１における第２の光学レンズ２側の光軸方向端部には、第１の取付面１ａが形成されている。第１の光学レンズ１をレンズ保持鏡筒３の左側から挿入すると、レンズ保持鏡筒３の第１の胴付部３ａに対して第１の光学レンズ１の第１の取付面１ａが接触し、第１の光学レンズ１の光軸方向の位置が決定される。
【００２５】
また、レンズ保持鏡筒３には、その内周面に第１の光学レンズ１の外周面１ｂに当接する第２の胴付部３ｂ(第１の保持部)が設けられており、この第２の胴付部３ｂは、光軸周りに均等に３箇所配置されるとともに、第１の胴付部３ａと同位相の位置に配置されている。レンズ保持鏡筒３の第２の胴付部３ｂが、第１の光学レンズ１の外周面１ｂに当接することにより、第１の光学レンズ１の光軸に垂直な方向の位置が決定される。
【００２６】
レンズ１の径方向の寸法は、レンズ保持鏡筒３の第２の胴付部３ｂの径方向の寸法よりも、若干大きく設定されており、圧入して固定する場合が多い。
【００２７】
また、レンズ保持鏡筒３には、第１の光学レンズ１をその径方向から挟み込んで、固定するためのカシメ爪３ｃ（第１の保持部）が形成されている。すなわち、工具等によりカシメ爪３ｃを変形させて挿入された第１の光学レンズ１の第２の取付面１ｃを覆うようにして、第１の光学レンズ１をレンズ保持鏡筒３に固定している。
【００２８】
レンズ保持鏡筒３がプラスチックにより構成されている場合、カシメ爪３ｃを熱カシメ等により高温で一旦溶かし、第２の取付面１ｃに被るように変形させ、保持することが一般的である。レンズ保持鏡筒３の、材料には、プラスチック以外の樹脂を使用することもできる。
【００２９】
カシメ爪３ｃは、光軸周りに均等に３箇所に配置され、上述の第１の胴付部３ａおよび第２の胴付部３ｂと同じ位相に配置されている。各カシメ爪３ｃの両側にはそれぞれ、光軸に向かって延びる溝部３ｄ（凹形状部）が形成されている。この溝部３ｄは、光学レンズ保持部１ｅの外周から内周までを切り抜くことにより形成されており、溝の深さ(光軸方向の寸法)が、カシメ爪３ｃの先端部から第１の胴付部３ａまでに設定されている。
【００３０】
次に、レンズ保持鏡筒３の右側より組み付けられる第２の光学レンズの組み付け方法について説明する。第１の光学レンズ１を保持する場合と、ほぼ同じ方法で行う。
【００３１】
第２の光学レンズ２の第１の取付面２ａを、レンズ保持鏡筒３の第１の胴付部３ｅ（第２の保持部）に当接させることにより、第２の光学レンズ２の光軸方向の位置を決定することができる。第２の光学レンズ２の外周面２ｂを、レンズ保持鏡筒３の第２の胴付部３ｆ（第２の保持部）に当接させることにより、第２の光学レンズ２の光軸に垂直な方向の位置を決定することができる。
【００３２】
レンズ保持鏡筒３に設けられたカシメ爪３ｇ（第２の保持部）を変形させることにより、第２の光学レンズ２の第２の取付面２ｃを押さえつけて、第２の光学レンズ２を保持している。
【００３３】
第１の胴付部３ｅと第２の胴付部３ｆ及びカシメ爪３ｇは、光軸周りに均等に３箇所設けられており、各カシメ爪３ｇの両側にはそれぞれ、光軸に向かって延びる溝部３ｈ（凹形状部）が形成されている。
【００３４】
また、レンズ保持鏡筒３において、第１の光学レンズ１に対応した、第１の胴付部３ａ、第２の胴付部３ｂ、カシメ爪３ｃ、溝部３ｄと、第２の光学レンズ２に対応した、第１の胴付部３ｅ、第２の胴付部３ｆ、カシメ爪３ｇ、溝部３ｈとは、光軸周りに同じ角度範囲で同じ位相に配置されている。
【００３５】
３ｉは、レンズ保持鏡筒３とは異なる不図示のレンズ鏡筒に形成されたカムに係合する、カムフォロアであり、このカムフォロア３ｉは、レンズ保持鏡筒３の外周面に形成されている。本実施例では、レンズ保持鏡筒３の外周面にカムフォロアを形成したが、他の部品との接合に欠くことができない形状部であれば、どのようなものであってもよい。
【００３６】
上述のように、構成されたレンズユニットにおいて、第１の光学レンズ１と第２の光学レンズ２との位置関係は、レンズ保持鏡筒３の部品精度により、常温で補償されているものとする。
【００３７】
さて、レンズユニットを、高温または低温環境下に置いた場合，温度変化による線膨張により、光学レンズ１、２及びレンズ保持鏡筒３が、膨張・収縮するが、レンズ保持鏡筒３の変形は複雑である。例えば、カムフォロア３ｉ部の形状や、レンズ保持鏡筒の肉厚によって、変形方向が一様でなくなる。特に外径が円形状の光学レンズを保持する、筒形状のレンズ保持鏡筒の場合、レンズ保持鏡筒の断面が略三角形に変形したり、レンズ保持鏡筒の外周に形成された開口部に変形が集中する場合が多い。光学ガラスの変化は、線膨張係数が小さいこともあり、通常時の温度範囲では大きな変形は無いと考えられる。
【００３８】
このように、環境に変化(例えば、温度変化、湿度変化)が生じた場合に、第１の光学レンズ１及び第２の光学レンズ２の間の光軸の偏芯に影響を与える光学レンズ保持部１ｅを均等に３点で支持しているため、第１の光学レンズ１及び第２の光学レンズ２の光軸の偏芯のズレを抑えることができる。
【００３９】
また、カシメ爪３ｃ，３ｇの両側の溝部３ｄにより、レンズ保持部はレンズ保持鏡筒３の周方向の変形から独立していて、カムフォロア３ｉなどの周方向に均等でない形状の影響を受けにくいため、上記と同様に第１の光学レンズ１及び第２の光学レンズ２の光軸の偏芯のズレを抑えることができる。
【００４０】
また、レンズ保持鏡筒３の全体が変形したとしても、第１及び第２の光学レンズ１、２を保持する保持部の位相を合わせてあるので、第１及び第２の光学レンズ１，２ともに同じ方向への偏芯となり、上記レンズユニット内の光学レンズの光軸の偏芯のズレを抑えることができる。
【実施例２】
【００４１】
次に、本発明の実施例２のレンズ装置を、図３を用いて説明する。
図３は本発明の実施例２である、レンズ装置１１０に含まれるレンズユニットを示した図であり、（ａ）はレンズユニットの斜視図、（ｂ）はレンズユニットの右正面図、（ｃ）はレンズユニットの光軸を含む平面で切断した縦断面図、（ｄ）レンズユニットの左正面図である。
同図において、４は第１の光学レンズ、５は第２の光学レンズであり、これらの光学レンズ４、５は、レンズ保持鏡筒６により保持される。
【００４２】
第１の光学レンズ４を保持する方法は、実施例１の第１の光学レンズ１を保持する方法と同様である。すなわち、レンズ保持鏡筒６の６ａ〜６ｄはそれぞれ、実施例１のレンズ保持鏡筒３における第１の胴付部３ａ〜溝部３ｄに対応している。
【００４３】
第２の光学レンズ５は、図中右側よりレンズ保持鏡筒６に挿入され、レンズ保持鏡筒６の第１の胴付部６ｅに第２の光学レンズ５の第１の取付面５ａを当接させることにより、光軸方向の位置を決定することができる。
【００４４】
本実施例の場合、実施例１と異なり、レンズ保持鏡筒６に、第２の光学レンズ５の外周面５ｂに当接する胴付部を設けていないため、第２の光学レンズ５を光軸に直交する面内で移動させることができる。したがって、第１の光学レンズ４の光軸に対し第２の光学レンズ５の光軸を合わせるために、光軸の偏芯を調整する調整器等により光軸のズレを計測して、第２の光学レンズ５を第１の胴付部６ｅの当接面に沿って移動させることにより、微調整を行うことができる。
【００４５】
実施例１のように初期の光軸合わせを、レンズ保持鏡筒の部品精度でまかなえない際に本実施例が有効となる。
【００４６】
調整後の位置に第２の光学レンズ５を固定するために、第２の光学レンズ５の外周面５ｂとレンズ保持鏡筒６の第１の胴付部６ｅにまたがるように接着剤７を塗布する。
【００４７】
接着剤としては、第２の光学レンズ５の外周面５ｂとレンズ保持鏡筒６の第１の胴付部６ｅを接着できるものであればどのようなものであってもよいが、好ましく、ＵＶ接着剤を使用する。このＵＶ接着剤は、塗付する際の作業性がよく，固形化が容易で、接着強度も高いという利点を有している。
【００４８】
また、レンズ保持鏡筒６において、第１の光学レンズ４に対応した、第１の胴付部６ａ、第２の胴付部６ｂ、カシメ爪６ｃ、溝部６ｄと、第２の光学レンズ５に対応した、第１の胴付部６ｅとは、光軸周りに同じ角度範囲で同じ位相に配置されている。
【００４９】
本実施例によれば、実施例１と同等の効果を得ることができ、更に、第２の光学レンズ５をレンズ保持鏡筒６に組み付けた後に、光軸に直交する面内で移動させ微調整することができるため、レンズ装置１１０を高精度化がすることができる。
【実施例３】
【００５０】
次に、本発明の実施例３におけるレンズ装置を、図４を用いて説明する。
図４は本発明の実施例３である、レンズ装置１１０に含まれるレンズユニットを示した図であり、（ａ）はレンズユニットの斜視図、（ｂ）はレンズユニットの右正面図、（ｃ）はレンズユニットの光軸を含む平面で切断した縦断面図、（ｄ）レンズユニットの左正面図である。
同図において、８は第１の光学レンズ、９は第２の光学レンズであり、これらの光学レンズ８、９は、レンズ保持鏡筒１０により保持される。
【００５１】
第１の光学レンズ８を保持する方法は、実施例１の光学レンズ１を保持する方法で同様である。すなわち、レンズ保持鏡筒１０の１０ａ〜１０ｄはそれぞれ、実施例１のレンズ保持鏡筒３における第１の胴付部３ａ〜溝部３ｄに対応している。
【００５２】
第２の光学レンズ９を保持する方法も、実施例２と同様であり、レンズ保持鏡筒１０の第１の胴付部１０ｅと第２の光学レンズ９の外周面９ｂとの間に、接着剤１１を介在させることにより、第２の光学レンズ９を光軸直交方向に対して固定している。なお、第２の光学レンズ９の第１の取付面１３ａは、実施例２の第１の取付面２ａに対応している。
【００５３】
本実施例では、第１及び第２の実施例と異なり、レンズ保持鏡筒１０のうち、第１光学レンズ８を固定しているカシメ爪１０ｃを除く、周方向の範囲に有害な光線を遮断するための遮光突起部１０ｆを設けている。
【００５４】
遮光突起１０ｆは、溝部１０ｄによりレンズ保持部と切り離されているため、実施例１に記載の効果に加えて、光学レンズ間の位置精度に影響することなく、有害な光線を遮断することができる。この遮光突起１０ｆは、第２の光学レンズ９側に配置することもできる。
【実施例４】
【００５５】
次に、本発明の実施例４のレンズ装置を、図５を用いて説明する。
図５は本発明の実施例４である、レンズ装置１１０に含まれるレンズユニットを示した図であり、（ａ）はレンズユニットの斜視図、（ｂ）はレンズユニットの右正面図、（ｃ）はレンズユニットの光軸を含む平面で切断した縦断面図、（ｄ）レンズユニットの左正面図である。
同図において、１２は第１の光学レンズ、１３は第２の光学レンズであり、これらの光学レンズ１２、１３は、レンズ保持鏡筒１４により保持される。
次に、本発明の第４の実施例におけるレンズ鏡筒を、図に基づいて説明する。
図４は本発明の第４実施例である、光学機器内部のひとつのレンズ群を抜き出して示した図であり、（ａ）は斜視図、（ｂ）は右正面図、（ｃ）は光軸を含む平面で切断した縦断面図、（ｄ）は左正面図である。
【００５６】
第１の光学レンズ１２を保持する方法は、実施例１の第１の光学レンズ１を保持する方法と同様である。すなわち、レンズ保持鏡筒１４の１４ａ〜１４ｄはそれぞれ、実施例１のレンズ保持鏡筒３における第１の胴付部３ａ〜溝部３ｄに対応している。
【００５７】
第２の光学レンズ１３を保持する方法も、実施例２と同様であり、レンズ保持鏡筒１４の第１の胴付部１４ｅと第２の光学レンズ１３の外周面１３ｂとの間に、接着剤１５を介在させることにより、第２の光学レンズ９を光軸直交方向に対して固定している。なお、第２の光学レンズ１３の１３ａは、実施例２の第１の取付面２ａに対応している。
【００５８】
本実施例の特徴は、レンズ保持鏡筒１４のうち、第１の光学レンズ１２を固定しているカシメ爪１４ｃ以外の周方向の範囲を光軸方向に突出させた突出部１４ｆを設け、この突起部１４ｆに、有害な光線を遮断するための中空円盤状の遮光シート１６（制限部材）を取り付けている点である。
【００５９】
突起部１４ｆは、溝部１４ｄにより、レンズ保持鏡筒１４のレンズ保持部と切り離されているため、光学レンズ間の位置精度に影響することなく、有害な光線を遮断する遮光シート１６を保持して固定できるとともに、溝部１４ｄを隠すことができる点で、更に有効となる。
【００６０】
突起部１４ｆ及び遮光シート１６は、第２の光学レンズ１３側に配置することもできる。
【図面の簡単な説明】
【００６１】
【図１】実施例１〜４のレンズ装置を備えたカメラシステムの斜視図。
【図２】本発明の実施例１の、レンズ装置に含まれるレンズユニットの構造図。
【図３】本発明の実施例２の、レンズ装置に含まれるレンズユニットの構造図。
【図４】本発明の実施例３の、レンズ装置に含まれるレンズユニットの構造図。
【図５】本発明の実施例４の、レンズ装置に含まれるレンズユニットの構造図。
【図６】従来例の、レンズ装置に含まれるレンズユニットの構造図。
【符号の説明】
【００６２】
１、４、８、１２、１７：第１の光学レンズ
２、５、９、１３、１８：第２の光学レンズ
３、６、１０、１４、１９：レンズ保持鏡筒
７、１１、１５、２０：接着剤
【図１】
2005215558.tif 000003
【図２】
2005215558.tif 000004
【図３】
2005215558.tif 000005
【図４】
2005215558.tif 000006
【図５】
2005215558.tif 000007
【図６】
2005215558.tif 000008